(57)【特許請求の範囲】
【請求項１】
台座部と、装飾部と、台座部と装飾部を連結する固定部材とを備え、台座部は、二本の腕部を備える略コ字形状の被嵌合部を有し、躯体に取付具で固定してあり、装飾部は、被嵌合部に嵌合する嵌合部と、フック部を有しており、嵌合部は、二本の腕部に挟まれており取付具を隠蔽するものであり、少なくとも台座部側が断面多角形状であり複数の当接面を有しており、被嵌合部は、嵌合部の当接面が当接する被当接面を有しており、少なくとも何れか一面の当接面を選択して被当接面に当接させ、固定部材が腕部及び嵌合部を貫通することで、台座部に対する装飾部の取付角度を選択可能に固定してあることを特徴とする装飾体。
【発明の詳細な説明】
【技術分野】
【０００１】
本発明は、プランター等を掛けることができる装飾体に関する。
【背景技術】
【０００２】
従来、建築物の壁や柱に取り付け、草木を植えたプランター等を吊るして使用するハンガーがある。例えば、特許文献１には、躯体に固定した台座部と、台座部から略水平方向に延びる装飾部とを備えたハンガーが記載されている。このハンガーは、全体が主に曲線で構成され植物を模したものとなっており、それ自体を装飾体として使用することもできる。
【先行技術文献】
【特許文献】
【０００３】
【特許文献１】意匠登録第１３０６５０４号公報
【発明の概要】
【発明が解決しようとする課題】
【０００４】
しかしながら、このようなハンガーを窓飾りと兼用して使用する場合、すなわち、装飾部が窓ガラスと平行するように窓枠に台座部を固定する場合、装飾部とガラスとの距離が近すぎて、装飾部に掛けたプランター等がガラスに接触してしまうおそれがある。また、通常台座部はネジ止めにより躯体に固定するが、このネジが見えてしまうと意匠性が悪くなるという問題もあった。
【０００５】
本発明は、上記事情を鑑みたものであり、窓枠に取り付けた場合でも掛けたプランター等がガラスに接触するおそれがなく、且つ意匠性が良好な装飾体を提供することを目的とする。
【課題を解決するための手段】
【０００６】
本発明は、台座部と、装飾部と、台座部と装飾部を連結する固定部材とを備え、台座部は、二本の腕部を備える略コ字形状の被嵌合部を有し、躯体に取付具で固定してあり、装飾部は、被嵌合部に嵌合する嵌合部と、フック部を有しており、嵌合部は、二本の腕部に挟まれており取付具を隠蔽するものであり、少なくとも台座部側が断面多角形状であり複数の当接面を有しており、被嵌合部は、嵌合部の当接面が当接する被当接面を有しており、少なくとも何れか一面の当接面を選択して被当接面に当接させ、固定部材が腕部及び嵌合部を貫通することで、台座部に対する装飾部の取付角度を選択可能に固定してあることを特徴とする。
【発明の効果】
【０００７】
本発明によれば、台座部に対する装飾部の取付角度を変えられるから、装飾部をガラスから遠ざけることができるので、装飾部に掛けたプランター等がガラスに接触するのを防ぐことができる。取付角度を選択可能とするための構成は、嵌合部に断面多角形状部分を形成し、被嵌合部に被当接面を形成するという簡易なものであり、被当接面に当接させる当接面を選択することで、取付角度を容易に選択・設定でき、面同士を当接させることで、台座部に対して装飾部が回転しないように固定できる。また、台座部を躯体に取り付けるための取付具が嵌合部により覆い隠されて見えなくなっているので、意匠性が良好である。さらに、嵌合部が略コ字形状の被嵌合部に嵌合し、嵌合部及び被嵌合部を固定部材が貫通しているので、装飾部に重いプランター等を掛けて嵌合部及び被嵌合部に大きな力が働く場合でも、確実に保持することができる。また、台座部に対して装飾部が回転しないように固定されているので、装飾部に不意に外力が働いた場合でも装飾部が動くことはなく、装飾部に掛けたプランター等がガラスに接触するのをより確実に防ぐことができる。
【図面の簡単な説明】
【０００８】
【図１】（ａ）は装飾体の正面図、（ｂ）は装飾体の平面図である。
【図２】（ａ）は図１（ａ）のＡ−Ａ線断面図、（ｂ）は（ａ）において装飾部の取付角度を変更した場合の説明図、（ｃ）は（ａ）において台座部と装飾部とを分離した状態の説明図である。
【図３】装飾体の使用状態を示すもので、（ａ）は正面図、（ｂ）は平面図である。
【発明を実施するための形態】
【０００９】
以下、本発明の実施の形態を図面に基づいて説明する。本発明の装飾体は、図１に示すように、台座部１と、台座部１に取り付けた装飾部２とを備える。台座部１は、被嵌合部１１を有しており、ネジからなる取付具３によって躯体１００の垂直面に固定してある。被嵌合部１１は、上部及び下部から水平方向に突出する腕部１２，１３を有しており、側面視して略コ字形状である。一方、装飾部２は、角棒を湾曲させた形状で、上方から下方へ向けて延び、台座部１側に環状部を形成して、略水平方向に延びており、側面視して略ｒ字形状である。そして、先端は下方へ向けて略円形状に湾曲してフック部２３を形成しており、プランター等を掛けることができるようになっている。また、台座部側には水平方向に突出する嵌合部２１を有する。嵌合部２１の高さは被嵌合部１１の腕部１２，１３同士の間隔と略等しく、二本の腕部１２，１３が嵌合部２１を挟んでいる。そして、ボルトからなる固定部材４が、上側の腕部１２及び嵌合部２１を貫通し、下側の腕部１３に螺合して、台座部１と装飾部２とを連結している。なお、固定部材４を受ける下側の腕部１３のネジ穴１５は有底で貫通していない。また、台座部１及び装飾部２は何れも金属製である。
【００１０】
次に、嵌合部２１及び被嵌合部１１について詳述する。嵌合部２１は、図２に示すように、軸中心で分割した円柱（先端側）と、同じく軸中心で分割した正八角柱（台座部側）とを組み合わせた形状で、軸は垂直向きであり、軸中心を固定部材４が貫通している。そして、正八角柱部分の側面は何れも垂直方向に平行で当接面２２となっており、装飾部２の先端が延びる方向に直交する第一当接面２２ａと、第一当接面２２ａに対して平面視して４５度傾斜する第二当接面２２ｂ及び第三当接面２２ｃからなる。一方、被嵌合部１１は、躯体１００の取付面に平行し、何れかの当接面（第一当接面２２ａ、第二当接面２２ｂ、第三当接面２２ｃ）に当接する被当接面１４を有し、さらに被当接面１４の水平方向両側に、被当接面１４に対して平面視して装飾部２側に４５度傾斜する補助被当接面１６を有する。また、ネジからなる取付具３は、被当接面１４に形成したネジ孔１７に挿入して、躯体１００に螺合している。
【００１１】
この装飾体を設置する際には、まず台座部１を取付具３によって躯体１００に取り付け、次に装飾部２の嵌合部２１を台座部１の被嵌合部１１に嵌合させる。この際、第一当接面２２ａを被当接面１４に当接させて、上方から固定部材４を取り付ければ、装飾部２は躯体１００の取付面に対して平面視して垂直向きとなる（図２（ａ））。そして、第一当接面２２ａが被当接面１４に当接しており、さらに第二当接面２２ｂ及び第三当接面２２ｃがそれぞれ補助被当接面１６に当接しているから、台座部１に対して装飾部２が回転することはない。また、嵌合部２１を被嵌合部１１に嵌合させる際に、第二当接面２２ｂを被当接面１４に当接させて、上方から固定部材４を取り付ければ、装飾部２は躯体１００の取付面に対して垂直方向から４５度傾斜した向きとなる（図２（ｂ））。そして、第二当接面２２ｂが被当接面１４に当接しており、さらに第一当接面２２ａが一方の補助被当接面１６に当接しているから、台座部１に対して装飾部２が回転することはない。さらに、第三当接面２２ｃを被当接面１４に当接させれば、装飾部２は、第二当接面２２ｂを被当接面１４に当接させた場合とは逆向きに傾斜した向きとなる。なお、装飾部２の向きによらず、被当接面１４には常に何れかの当接面（第一当接面２２ａ、第二当接面２２ｂ、第三当接面２２ｃ）が当接するので、設置した状態において、被当接面１４に取り付けた取付具３が外部からは見えない。
【００１２】
このように、本発明の装飾体は、嵌合部２１に断面多角形状部分を形成し、被嵌合部１１に被当接面１４を形成するという簡易な構成により、台座部１に対する装飾部２の取付角度を選択可能とし、且つ台座部１に対して装飾部２が回転しないように固定できる。よって、図３に示すように、装飾体を窓周りの躯体１００に取り付けた場合であっても、装飾部２をガラス１１０から遠ざかる向きに傾斜させることで、装飾部２のフック部２３に掛けたプランター２００がガラス１１０に接触しない。そして、台座部１に対して装飾部２が回転しないので、装飾部２に不意に外力が働いた場合でも装飾部２が動くことはなく、プランター２００がガラス１１０に接触することをより確実に防いでいる。また、取付具３は常に嵌合部２１により覆い隠され外部からは見えないので、意匠性が良好である。さらに、嵌合部２１が二本の腕部１２，１３に挟まれ、固定部材４が腕部１２，１３及び嵌合部２１を貫通しているので、フック部に掛けたプランター２００が重く嵌合部２１及び被嵌合部１１に大きな力が働く場合でも、確実に保持することができる。また、一本の固定部材４で台座部１と装飾部２とを連結できるので、作業性が良好であり、さらに固定部材４が上側から挿入されており下側からは見えないので、この点でも意匠性が良好である。
【００１３】
本発明は、上記の実施形態に限定されない。嵌合部は、少なくとも一部が断面多角形状で、二面以上の当接面を有していればよく、多角形状とは多角形の一部分であってもよい。よって、実施例のように正八角柱を二分割した部分を有するもののほか、例えば嵌合部全体が正八角柱からなるものとすれば、より広い範囲で角度調整が可能であるし、正十角柱や正十二角柱など角の数を増やせば、より細かい角度調整が可能になる。また、当接面と被当接面とを当接させることができるものであれば、例えば嵌合部の上側半分が多角柱形状で下側半分が円柱形状のもの等、嵌合部の軸方向（実施例では上下方向）の一部が多角柱形状となっているものであってもよい。さらに、被当接面は、少なくとも一面あればよい。また、装飾部の形状は、直線形状、曲線形状又はその組み合わせなど、どのようなものであってもよい。また、取付具は、ネジのほか、ボルトや釘等であってもよいし、固定部材は、ボルトのほか、棒材等であってもよい。さらに、素材は金属に限られず、プランター等の荷重を支えられるものであれば、木材や樹脂からなるものであってもよい。また、この装飾体は、実施例のような垂直面ではなく、水平面（窓の上枠等）に取り付けてもよい。その場合、装飾部が水平軸周りに回転する向きに取り付ければ、装飾部をガラス等から遠ざかる向きに傾斜させることができる。
【符号の説明】
【００１４】
１  台座部
２  装飾部
３  取付具
４  固定部材
１１  被嵌合部
１２，１３  腕部
１４  被当接面
２１  嵌合部
２２  当接面
１００  躯体
【図１】
0005443221.tif 000002
【図２】
0005443221.tif 000003
【図３】
0005443221.tif 000004